(57)【要約】【課題】寝時等、居住者の移動が少ない場合には、居住者の周囲を部分的に清浄することができる清浄空気送風装置を提供する。【解決手段】住宅１０の二階各室１０ｉ〜１０ｋ内に設けられた床面換気グリル１４ａ〜１４ｃに装着されて、給気を制御することにより、所望の位置に清浄空気を供給可能な清浄空気送風装置である。床面換気グリル１４ａ〜１４ｃの周縁部１４ｇに装着される空気送風機本体２１と、空気送風機本体２１から延設されて、空気送風機本体２１から送風される床面換気グリル１４ａからの清浄空気を内部に挿通させる屈曲可能なダクト部材２２の先端部２２ａに設けられて、室内に載置される出口部材２３とを有し、空気送風機本体２１から送風される床面換気グリル１４ａからの清浄空気を、ダクト部材２２内へ挿通させて、出口部材２３から供給する。【選択図】図１
2007127295.tif 000002
【特許請求の範囲】
【請求項１】
住宅等の室内に設けられた室内側給気孔に装着されて、給気を制御することにより、所望の位置に清浄空気を供給可能な清浄空気送風装置であって、
前記室内側給気孔に装着される空気送風機本体と、該空気送風機本体から延設されて、該空気送風機本体から送風される室内側給気孔からの清浄空気を内部に挿通させる屈曲可能なダクト部材と、該ダクト部材の先端部に設けられて、室内に載置される出口部材とを有し、空気送風機本体から送風される室内側給気孔からの清浄空気を該ダクト部材内へ挿通させて、前記出口部材から供給することを特徴とする清浄空気送風装置。
【請求項２】
前記空気送風機本体には、駆動により、前記ダクト部材内に、清浄空気を送風する装置側送風機が設けられていることを特徴とする請求項１記載の清浄空気送風装置。
【請求項３】
前記空気送風機本体には、脱臭フィルタ部材が設けられていることを特徴とする請求項１又は２記載の清浄空気送風装置。
【請求項４】
前記空気送風機本体には、前記室内側給気孔周縁に圧着されるシール部材が設けられていることを特徴とする請求項１乃至３のうち何れか一項記載の清浄空気送風装置。
【請求項５】
前記空気送風機本体には、ボックス状の筐体の周囲から係合鍔部が突設されると共に、前記室内側給気孔の周縁から突設された係合片に、該係合鍔部を係合離脱させることにより、前記室内側給気孔周縁に、該空気送風機本体を装脱着自在とする着脱手段が設けられていることを特徴とする請求項１乃至４のうち何れか一項記載の清浄空気送風装置。
【請求項６】
前記出口部材に代えて、若しくは該出口部材に連設して、前記居住者の一部又は全部を覆い、内部空間を前記ダクト部材の内部空間と連通させるビニルフード部材を有することを特徴とする請求項１乃至５のうち何れか一項記載の清浄空気送風装置。
【請求項７】
前記複数形成された室内側給気孔のうち、前記空気送風機本体が装着されていない室内側給気孔を閉塞する閉塞手段を有することを特徴とする請求項１乃至６のうち何れか一項記載の清浄空気送風装置。
【発明の詳細な説明】
【技術分野】
【０００１】
本発明は、住宅等の家屋に設けられた換気システムを用いて、効率良く、清浄空気を供給出来る清浄空気送風装置に関するものである。
【背景技術】
【０００２】
従来、図１６に示すような室内側換気口に用いられる風量調整装置１が知られている（例えば、特許文献１等参照）。
【０００３】
まず、構成から説明すると、このような従来の風量調整装置１では、住宅等の家屋の室内側に設けられた室内側給気孔２に、カートリッジ３が装着されている。
【０００４】
このカートリッジ３には、前記室内側給気孔２の周縁に装着される背板４に対して、下縁部を回動自在に枢着されたカバー部材５が設けられている。
【０００５】
このカバー部材５の内側には、移動量により、前記背板４側に設けられたリング状突起片７との間隔を変更して、空気の換気量が段階的に調整可能となる換気調整板６が設けられている。
【０００６】
次に、この従来の風量調整装置１の作用効果について説明する。
【０００７】
このように構成された従来の風量調整装置では、図１６中実線で示すように、カバー部材５を回動させて開放すると共に、排気調整板６を押しながら周方向に廻すことにより、前記背板４側に設けられたリング状突起片７との間隔が変更される。
【０００８】
このため、容易に、前記室内側換気口から室内に送風される給気量を、この風量調整装置１を用いて調整可能である。
【特許文献１】特開２００４−３０９０６５号公報（０００６段落乃至０００８段落、図１，図４）
【発明の開示】
【発明が解決しようとする課題】
【０００９】
住宅等の屋内に配管されたダクトを介して、給排気を共に、機械式のファン等の送風装置を用いて行う第１種換気では、住宅等の家屋の室内の室内側給気孔２が、屋内で生活する居住者の邪魔とならないように、天井の隅或いは、床の隅に設置されている。
【００１０】
従来の風量調整装置１では、風量を調整することにより、部屋全体の空気を換気して清浄空気に近くするようにしているが、居住者が就寝する際等、居住者が、一定の箇所、特に床に近い位置に留まる場合には、部屋全体を清浄空気とするのは、効率的であるとは言い難かった。
【００１１】
そこで、この発明は、就寝時等、居住者の移動が少ない場合には、居住者の周囲を部分的に清浄することができる清浄空気送風装置を提供することを課題としている。
【課題を解決するための手段】
【００１２】
上記目的を達成するために、請求項１に記載された発明は、住宅等の室内に設けられた室内側給気孔に装着されて、給気を制御することにより、所望の位置に清浄空気を供給可能な清浄空気送風装置であって、前記室内側給気孔に装着される空気送風機本体と、該空気送風機本体から延設されて、該空気送風機本体から送風される室内側給気孔からの清浄空気を内部に挿通させる屈曲可能なダクト部材と、該ダクト部材の先端部に設けられて、室内に載置される出口部材とを有し、空気送風機本体から送風される室内側給気孔からの清浄空気を該ダクト部材内へ挿通させて、前記出口部材から供給する清浄空気送風装置を特徴としている。
【００１３】
また、請求項２に記載されたものは、前記空気送風機本体には、駆動により、前記ダクト部材内に、清浄空気を送風する装置側送風機が設けられている請求項１記載の清浄空気送風装置を特徴としている。
【００１４】
更に、請求項３に記載されたものは、前記空気送風機本体には、脱臭フィルタ部材が設けられている請求項１又は２記載の清浄空気送風装置を特徴としている。
【００１５】
そして、請求項４に記載されたものは、前記空気送風機本体には、前記室内側給気孔周縁に圧着されるシール部材が設けられている請求項１乃至３記載のうち何れか一項記載の清浄空気送風装置を特徴としている。
【００１６】
また、請求項５に記載されたものは、前記空気送風機本体には、ボックス状の筐体の周囲から係合鍔部が突設されると共に、前記室内側給気孔の周縁から突設された係合片に、該係合鍔部を係合離脱させることにより、前記室内側給気孔周縁に、該空気送風機本体を装脱着自在とする着脱手段が設けられている請求項１乃至４のうち何れか一項記載の清浄空気送風装置を特徴としている。
【００１７】
更に、請求項６に記載されたものは、前記出口部材に代えて、若しくは該出口部材に連設して、前記居住者の一部又は全部を覆い、内部空間を前記ダクト部材の内部空間と連通させるビニルフード部材を有する請求項１乃至５のうち何れか一項記載の清浄空気送風装置を特徴としている。
【００１８】
また、請求項７に記載されたものは、前記複数形成された室内側給気孔のうち、前記空気送風機本体が装着されていない室内側給気孔を閉塞する閉塞手段を有する請求項１乃至６のうち何れか一項記載の清浄空気送風装置を特徴としている。
【発明の効果】
【００１９】
このように構成された本願発明の請求項１記載のものは、室内に載置される出口部材が、前記室内側給気孔に装着される空気送風機本体に対して、屈曲可能なダクト部材を介して接続されている。
【００２０】
このため、前記室内側給気孔の位置に拘わらず、室内の所望の位置に前記出口部を載置して、清浄空気を、良好な効率で供給できる。
【００２１】
また、請求項２記載のものは、前記装置側送風機を駆動すると、室内側給気孔からの清浄空気が、前記ダクト部材内に挿通されて、前記出口部材から所望の位置に供給される。
【００２２】
このため、例えば、第１種換気で、住宅設備として設けられている送風装置の風量が足りない場合や、或いは排気のみを機械式のファン等の送風装置を用いて行う第３種換気であっても、所望の風量になるように、該装置側送風機の制御によって調整出来る。
【００２３】
更に、請求項３に記載されたものは、前記空気送風機本体に設けられた脱臭フィルタ部材によって、更に清浄された清浄空気が供給される。
【００２４】
そして、請求項４に記載されたものは、前記空気送風機本体に設けられたシール部材が、前記室内側給気孔周縁に圧着される。  
【００２５】
このため、清浄空気が漏洩することなく、前記室内側給気孔から前記ダクト部材内へ送風することができる。
【００２６】
また、請求項５に記載されたものは、前記着脱手段では、前記空気送風機本体のボックス状の筐体の周囲からに突設された係合鍔部が、前記室内側給気孔の周縁から突設された係合片に対して、係合離脱されることにより、容易に、前記室内側給気孔周縁に、該空気送風機本体を装脱着自在とすることができる。
【００２７】
このため、例えば、居住者の活動が活発な昼間は、該着脱手段を用いて、前記空気送風機本体を取り外して、部屋全体に清浄空気を行き渡らせると共に、居住者が就寝する夜は、該空気送風機本体の係合鍔部を、前記室内側給気孔の周縁から突設された係合片に対して、係合させて装着することにより、所望の部分のみへ集中的に清浄空気を供給させることが出来る。
【００２８】
更に、請求項６に記載されたものは、前記ビニルフード部材を、出口部材に代えて、若しくは該出口部材に連設して、前記居住者の一部又は全部を覆い、内部空間を前記ダクト部材の内部空間と連通させる。
【００２９】
前記ビニルフード内に供給される清浄空気は、前記居住者の一部又は全部に集中されて供給されて、該ビニルフード外の空気に比して、清浄された空間を得ることができる。
【００３０】
このため、更に、空気清浄効率が良好である。
【００３１】
また、請求項７に記載されたものは、前記閉塞手段によって、前記複数形成された室内側給気孔のうち、前記空気送風機本体が装着されていない室内側給気孔が閉塞される。
【００３２】
このため、清浄空気が、空気送風機本体が装着されている室内側給気孔に集中して、更に、前記出口部材から供給される清浄空気の送風量を増大させることができる。
【発明を実施するための最良の形態】
【００３３】
次に、図面に基づいて、この発明を実施するための最良の実施の形態の清浄空気送風装置について説明する。
【００３４】
図１乃至図１５は、この発明の最良の実施の形態の清浄空気送風装置を示すものである。
【００３５】
この実施の形態の清浄空気送風装置は、図３に示すような住宅１０等の給排気換気システム１１に用いられるものである。
【００３６】
この給排気換気システム１１では、エアフィルタ等を内蔵した給排気ユニット１２が、一階１０ａの天井部内１０ｃ内に設けられている。  
【００３７】
この給排気ユニット１２には、前記一階１０ａの天井部内１０ｃ内に延在されて、一階各室１０ｄ〜１０ｇ内に設けられた室内側天井給気孔１２ｈ〜１２ｋを介して給気する天井ダクト１２ｄ〜１２ｇが、分配ユニット１２ａで分配されるように接続されている。
【００３８】
また、この一階１０ａの天井部内１０ｃ内には、屋内に設けられた吸気孔１２ｍから、室内の汚れた空気を吸い出す給気ダクト１２ｎが接続されている。
【００３９】
更に、この給排気ユニット１２には、二階１０ｂの天井部内１０ｈ内に延在されて、二階各室１０ｉ〜１０ｋ内及び二階廊下１０ｌに設けられた室内側天井給気孔１３ｈ〜１３ｊ及び廊下天井給気孔１３ｋを介して給気する天井ダクト１３ｄ〜１３ｆ及び天井ダクト１３ｇが、分配ユニット１３ａで分配されるように接続されている。
【００４０】
また、この二階１０ｂの天井部内１０ｈ内には、屋内に設けられた吸気孔１３ｍから、室内の汚れた空気を吸い出す給気ダクト１３ｎが接続されている。
【００４１】
更に、前記二階１０ｂの床部１０ｎ内には、分配ユニット１３ｂを介して、前記給排気ユニット１２に接続されることにより、清浄空気を供給する床ダクト１４ｄ〜１４ｆが設けられている。
【００４２】
これらの各床ダクト１４ｄ〜１４ｆは、二階各室１０ｉ〜１０ｋの壁部ｗに近接されて設けられた室内側給気孔としての床面換気グリル１４ａ〜１４ｃに連通されていて、清浄空気が、これらの二階各室１０ｉ〜１０ｋに供給されるように構成されている。
【００４３】
そして、この給排気ユニット１２内には、図示省略のファン部材を、電動モータによって回転駆動させることにより、送風を行う送風ファン装置が設けられている。
【００４４】
このため、前記給排気ユニット１２は、外壁部に設けられた屋外側吸気口１５から屋外の空気を取り入れて、屋外側排気口１６から汚れた室内の空気を排気することにより、いわゆる第一種換気が行われるように構成されている。
【実施例１】
【００４５】
図１乃至図９に示すこの実施例１の清浄空気送風装置は、前記床面換気グリル１４ａ〜１４ｃに装着されて、室内に供給される給気を制御することにより、所望の位置に清浄空気を供給可能とする清浄空気送風ユニット２０を有している。
【００４６】
まず、主に、図１を用いて、この清浄空気送風ユニット２０の構成について説明する。
【００４７】
この清浄空気送風ユニット２０は、前記各床面換気グリル１４ａ〜１４ｃ等に装着される空気送風機本体２１と、この空気送風機本体２１から延設されて、この空気送風機本体２１から送風される床面換気グリル１４ａからの清浄空気を内部に挿通させる屈曲可能なダクト部材２２と、このダクト部材２２の先端部に設けられて、室内の床面Ｆに載置される出口部材２３とを有して主に構成されている。
【００４８】
このうち、前記空気送風機本体２１は、略直方体のボックス状を呈する筐体２１ａの左，右側縁下辺側周囲から、上面視略長方形の板状の係合鍔部２１ｂ，２１ｂが一対、一体となるように突設されていて、前記各床面換気グリル１４ａの周縁部１４ｇを覆うように装着される。
【００４９】
前記筐体２１ａの内部には、プロペラ状のファン部材２１ｃ，２１ｃを、電動モータによって回転駆動させることにより、上面部２１ｄに形成されたダクト用開口２１ｅに接続される前記ダクト部材２２内に、送風を行う送風ファン装置２１ｆが設けられている。
【００５０】
また、この筐体２１ａの下面側には、図９に示すように、前記床面換気グリル１４ａと、この筐体２１ａの内部空間とを連通させるように、開口部２１ｇが形成されている。
【００５１】
そして、この開口部２１ｇには、上面視略長方形板状の脱臭フィルタ部材２４が、嵌着されて着脱自在となるように設けられている。
【００５２】
更に、この開口部２１ｇの周囲と、前記係合鍔部２１ｂ，２１ｂの下面側には、この開口部２１ｇ周縁を囲むように、前記床面換気グリル１４ａ等の周縁に圧着されるシール部材としてのスポンジ状部材２５が、接着されて設けられている。
【００５３】
また、図１及び図７に示すように、前記床面換気グリル１４ａの壁部ｗ側周縁に開口形成されたスリット部２６からは、上下方向に移動可能なフォーク部材２７が、出没可能に収納されている。
【００５４】
このフォーク部材２７には、前記壁部ｗから離間する室内側方向へ向けて、一対の係合片２７ａ，２７ａが一体に突設されている。
【００５５】
これらの係合片２７ａ，２７ａは、前記筐体２１ａの幅方向寸法と、略同一寸法、水平方向に離間して形成されて、これらの係合片２７ａ，２７ａ間に前記筐体２１ａを、図１中二点鎖線で示す位置までスライドさせて挟持可能としている。
【００５６】
また、これらの係合片２７ａ，２７ａの高さ位置は、前記スリット部２６から上方に引き出された状態で、前記係合鍔部２１ｂ，２１ｂの上面側に、これらの係合片２７ａ，２７ａの下面側が摺接される位置に設定されている。
【００５７】
図１中二点差線で示す位置までスライド嵌着されている状態では、一定の応力で前記係合鍔部２１ｂ，２１ｂが、前記床面換気グリル１４ａの周縁部１４ｇに圧接されるように構成されている。
【００５８】
さらに、前記スリット部２６内に収納された状態では、前記床面換気グリル１４ａの周縁部１４ｇの高さ位置よりも、係合片２７ａ，２７ａの上面部の高さ位置が、同一高さ位置若しくは、低くなるように構成されている。
【００５９】
そして、これらの突設された係合片２７ａ，２７ａが、前記係合鍔部２１ｂ，２１ｂを係合離脱させることにより、前記床面換気グリル１４ａ周縁に、空気送風機本体２１を装脱着自在となるように、これらの係合片２７ａ，２７ａ及び、前記係合鍔部２１ｂ，２１ｂによって、着脱手段が構成されている。
【００６０】
また、前記ダクト部材２２は、蛇腹状の塩ビ製ホース部材から主に構成されて、自在に屈曲可能とされている。
【００６１】
更に、前記出口部材２３は、正面視略正方形形状を呈して、風向をガイドする周縁枠体２３ａと、この周縁枠体２３ａの背板２３ｃと一体に形成されて、前記ダクト部材２２の先端部２２ａを接続する円筒形形状の接続部２３ｂとを有して主に構成されている。
【００６２】
このうち、前記周縁枠体２３ａの何れか一辺は、外側面を略平坦形状とすることにより、前記床面Ｆ上に対向して載置される載置面２３ｄとして機能するように構成されている。
【００６３】
この実施例１では、四辺全ての辺の外側面が、載置面２３ｄとして機能するように略平坦形状を呈している。
【００６４】
また、この実施例１の清浄空気送風ユニット２０は、図１に示すように、前記空気送風機本体２１内に設けられた送風ファン装置２１ｆの電動モータに電力を供給する為、壁部ｗに設けられたコンセント３０に、電源コード３１を接続するコンセントプラグ３２が設けられている。
【００６５】
そして、この実施例１の清浄空気送風ユニット２０は、前記空気送風機本体２１の送風ファン装置２１ｆを駆動することにより、前記給排気換気システム１１から前記床ダクト１４ｄ〜１４ｆを介して、前記床面換気グリル１４ａ等に送風される清浄空気を、このダクト部材２２内へ挿通させて、前記出口部材２３から、室内へ供給するように構成されている。
【００６６】
次に、この実施例１の清浄空気送風装置の作用効果について説明する。
【００６７】
このように構成されたこの実施例１の清浄空気送風装置では、日中の活動時、各室１０ｉ等内の天井に設けられた室内側天井給気孔１３ｈ〜１３ｊ又は、床面Ｆの壁部ｗ近傍に設けられた床面換気グリル１４ａ〜１４ｃから、二階各室１０ｉ等へ清浄空気の給気が行われると共に、前記吸気孔１３ｍ及び給気ダクト１３ｎ等を介して、屋内の汚れた空気が排気されることにより、屋内で生活する居住者の邪魔とならないように、第一種換気が行われる。
【００６８】
すなわち、比較として図４に示すように、日中では、二階各室１０ｉ内に万遍なく清浄空気が供給されて浄化されている。
【００６９】
また、夜間等、居住者Ｋが就寝する際等、居住者Ｋが、一定の箇所、特に床に近い位置に留まる場合には、部屋全体を清浄空気とするのは、効率的であるとは言い難い。
【００７０】
このため、図５及び図６に示すように、前記清浄空気送風ユニット２０を用いて、居住者Ｋの顔に近い部分へ集中的に清浄空気を送風供給する。
【００７１】
すなわち、図１に示すように、前記床面換気グリル１４ａの壁部ｗ側周縁に開口形成されたスリット部２６から、上方向にフォーク部材２７を引き出すと共に、前記清浄空気送風ユニット２０の空気送風機本体２１を、図１中実線で示す位置から、二点鎖線で示す位置まで、床面Ｆ上をスライド移動させる。
【００７２】
そして、前記フォーク部材２７に、前記壁部ｗから離間する室内側方向へ向けて、一体に突設されている一対の係合片２７ａ，２７ａ間に、前記空気送風機本体２１の筐体２１ａを左，右から挟持させるように、前記係合片２７ａ，２７ａの下面側を、前記係合鍔部２１ｂ，２１ｂの上面側に、摺接させながら、介挿させる。
【００７３】
このように、二点鎖線で示す装着状態では、一定の応力で前記係合鍔部２１ｂ，２１ｂが、前記床面換気グリル１４ａの周縁部１４ｇに圧接されるため、前記前記床面換気グリル１４ａ等の周縁に圧着されるスポンジ状部材２５が、弾性変形して、圧着されて、この開口部２１ｇの周囲を囲む前記係合鍔部２１ｂ，２１ｂの下面側及び、この開口部２１ｇ周縁の他の部分と、前記床面換気グリル１４ａ等の周縁とが、シールされる。
【００７４】
このため、開口部２１ｇ周縁と、前記床面換気グリル１４ａの周縁との間から、清浄空気が漏れる虞が減少する。
【００７５】
次に、図６に示すように、居住者Ｋの顔に近い部分へ集中的に清浄空気が送風供給されるように、前記出口部材２３を床面Ｆ上に載置する。
【００７６】
この際、二階各室１０ｉ〜１０ｌ内の床面Ｆに載置される出口部材２３が、前記床面換気グリル１４ａの周縁部に装着される空気送風機本体２１に対して、屈曲可能なダクト部材２２を介して接続されている。
【００７７】
このため、前記床面換気グリル１４ａの位置に拘わらず、室内の所望の位置に前記出口部材２３を載置して、清浄空気を、良好な効率で供給できる。
【００７８】
更に、この実施例１では、前記出口部材２３の正面視略正方形形状の周縁枠体２３ａが、各辺を載置面２３ｄとすることが可能なように、外側面を略平坦形状としている。
【００７９】
このため、図１に示す前記ダクト部材２２の一部２２ｂと共に、載置面２３ｄの左右方向両端と、この一部２２ｂとの間に略三角形の設置点が形成されて、更に、設置時の安定性が良好である。
【００８０】
従って、例えば、出口部材２３を載置する位置によって、前記ダクト部材２２の屈曲量が大きくなっても、ダクト部材２２が、伸張しようとする反力等で、出口部材２３の位置や向きが変更される虞が少ない。
【００８１】
更に、この実施例１では、周縁枠体２３ａの四辺全ての辺の外側面が、載置面２３ｄとして機能するように略平坦形状を呈している。
【００８２】
このため、設置位置によって、左,右約９０度若しくは反対側の他の載置面２３ｄを用いることが可能で、更に、安定性を良好なものとすることができる。  
【００８３】
また、前記送風ファン装置２１ｆのファン部材２１ｃ，２１ｃが回転駆動されると、前記床面換気グリル１４ａまで到達している前記給排気ユニット１２からの清浄空気が、前記ダクト部材２２内に挿通されて、前記出口部材２３から所望の位置に供給される。
【００８４】
しかも、出口部材２３の設置位置及び角度を変更調整するだけで、所望の位置に、所望の風量の清浄空気を供給出来、例えば、風により寒さ感を感じる時には、寒さを感じないように、設置位置を変更若しくは、設置角度を変更することで解消することができる。
【００８５】
このため、例えば、第１種換気で、住宅設備として設けられている給排気ユニット１２の送風装置の風量が足りない場合や、或いは排気のみを機械式のファン等の送風装置を用いて行う第３種換気であっても、所望の風量になるように、この送風ファン装置２１ｆの回転駆動を制御することによって調整出来る。
【００８６】
そして、前記空気送風機本体２１に設けられたスポンジ状部材２５が、前記床面換気グリル１４ａの周縁部１４ｇに圧着される。  
【００８７】
このため、清浄空気が漏洩することなく、前記床面換気グリル１４ａから前記ダクト部材２２内へ送風することができる。
【００８８】
また、この空気送風機本体２１が、床面換気グリル１４ａの周縁部１４ｇに装着された状態では、前記送風ファン装置２１ｆのファン部材２１ｃ,２１ｃが、この床面換気グリル１４ａのグレーチングの真上に位置する。
【００８９】
このため、空気の流路が直線状となることで通気抵抗の増大が抑制されて、更に効率的に清浄空気を供給出来る。
【００９０】
更に、前記空気送風機本体２１に設けられた脱臭フィルタ部材２４によって、更に清浄された清浄空気が供給される。
【００９１】
また、前記床面換気グリル１４ａの周縁から突設された前記フォーク部材２７の係合片２７ａ，２７ａによって、前記空気送風機本体２１のボックス状の筐体２１ａの周囲からに突設された係合鍔部２１ｂ，２１ｂが、係合離脱されることにより、容易に、前記床面換気グリル１４ａの周縁部１４ｇに、この空気送風機本体２１を装脱着自在とすることができる。
【００９２】
このため、例えば、居住者の活動が活発な昼間は、この着脱手段を用いて、前記空気送風機本体２１を取り外して、部屋全体に清浄空気を行き渡らせると共に、居住者Ｋが就寝する夜間は、前記空気送風機本体２１の係合鍔部２１ｂ，２１ｂを、前記床面換気グリル１４ａの周縁から突設された前記フォーク部材２７の係合片２７ａ，２７ａに対して、係合させて装着することにより、所望の部分のみへ集中的に清浄空気を供給させることが出来る。
【００９３】
特に、この実施例１の出口部材２３は、床面Ｆ上に載置されても安定性が良好であるので、前記周縁枠体２３ａによって導かれる清浄空気の位置及び角度が変化することが無い。
【００９４】
このため、例えば、居住者Ｋが、気管支アレルギー（喘息、鼻炎等）発作を伴う呼吸器系の疾患を有していても、夜間中、常に清浄空気を効率よく供給出来、安心して就寝できる。
【００９５】
また、この実施例１の清浄空気送風ユニット２０は、前記空気送風機本体２１が、前記床面換気グリル１４ａの周縁から突設された前記フォーク部材２７に対して、容易に装脱着出来て持ち運び可能である。
【００９６】
このため、図３中、部分的な給気が必要とされる二階各室１０ｉ〜１０ｋに搬入すると共に、これらの二階各室１０ｉ〜１０ｋの前記床面換気グリル１４ａ〜１４ｃの周縁から突設された各フォーク部材２７…に対して、前記空気送風機本体２１を装着することで、容易に、清浄空気が必要とされる居住者Ｋが、就寝する二階各室１０ｉ〜１０ｋの何れの部屋であっても、この清浄空気送風ユニット２０を使用することができる。
【実施例２】
【００９７】
図１０及び図１１は、この発明の実施の形態の実施例２の清浄空気送風装置を示すものである。
【００９８】
なお、前記実施例１と同一乃至均等な部分については、同一符号を付して説明する。
【００９９】
まず、構成上の相違点を中心に説明すると、この実施例２の清浄空気送風ユニット１２０では、前記ビニルフード部材４０が、前記実施例１の出口部材２３に代えて、前記ダクト部材２２の先端部２２ａに装着されている。
【０１００】
このビニルフード部材４０は、無色透明のビニル部材によって構成されていて、前記居住者Ｋの身体の顔部若しくは脚部等の一部又は全部を覆い、ドーム状の内部空間４０ａを前記ダクト部材２２の内部空間と連通させるように構成されている。
【０１０１】
次に、この実施例２の清浄空気送風ユニット１２０の作用効果について説明する。
【０１０２】
この実施例２では、前記ダクト部材２２を介して、ビニルフード４０内に供給される清浄空気は、前記居住者Ｋの一部又は全部に集中されて供給される。
【０１０３】
このため、ビニルフード４０外の空気に比して、ビニルフード４０内では、清浄された空気で満たされた空間を得ることができる。
【０１０４】
このため、更に、空気清浄効率が良好である。
【０１０５】
また、暖房と併用することにより、図１１に示すように、居住者Ｋの脚部を集中して暖めることもできる。
【０１０６】
この際、例えば、前記空気送風機本体２１の筐体２１ａ内に、通過する空気を加熱可能な暖房機器を設けることにより、個別に暖房を行うこともできるので、更に、使用利便性が良好である。
【０１０７】
他の構成、及び作用効果については、前記実施例1と略同一であるので、説明を省略する。
【実施例３】
【０１０８】
図１２及び図１３は、この発明の実施の形態の実施例３の清浄空気送風装置を示すものである。
【０１０９】
なお、前記実施例１，２と同一乃至均等な部分については、同一符号を付して、構成上の相違点を中心に説明する。
【０１１０】
この実施例３の清浄空気送風装置では、前記建物の一室１０ｐに、複数の室内側給気孔１４ｐ，１４ｑ…が設けられていて、各々分岐された給気ダクト１３ｐ，１３ｑ…に接続されている。
【０１１１】
このうち、前記空気送風機本体２１が装着されていない室内側給気孔１４ｐを閉塞可能とする閉塞手段として、回動蓋体５０が設けられている。
【０１１２】
この回動蓋体５０の一側辺５０ａは、蝶番部材５１によって、前記室内側給気孔１４ｐの周縁部の短尺側一側辺１４ｈに回動自在に固定されている。
【０１１３】
次に、この実施例３の清浄空気送風装置の作用について説明する。
【０１１４】
この実施例３では、前記回動蓋体５０によって、前記複数形成された室内側給気孔１４ｐ，１４ｑ…のうち、前記空気送風機本体２１が装着されていない室内側給気孔１４ｐ等が閉塞される。
【０１１５】
このため、清浄空気が、空気送風機本体２１が装着されている室内側給気孔１４ｑ等に集中して、更に、前記出口部材２３から供給される清浄空気の送風量を増大させることができる。  
【０１１６】
他の構成、及び作用効果については、前記実施例１，２と略同一であるので、説明を省略する。
【実施例４】
【０１１７】
図１４は、この発明の実施の形態の実施例４の清浄空気送風装置を示し、前記実施例３の変形例に相当するものである。
【０１１８】
なお、前記実施例１，２と同一乃至均等な部分については、同一符号を付して、構成上の相違点を中心に説明する。
【０１１９】
この実施例４の清浄空気送風装置では、前記実施例３と同様に、建物の一室１０ｐに、複数設けられた室内側給気孔１４ｐ，１４ｑ…のうち、前記空気送風機本体２１が装着されていない室内側給気孔１４ｐ等を閉塞する閉塞手段としての取り外し蓋体６０が設けられている。
【０１２０】
この取り外し蓋体６０は、取り外し及び閉塞時の把持性を良好なものとするため、凸状の把手部６１が、上面部に一体に凸設形成されている。
【０１２１】
次に、この実施例４の清浄空気送風装置の作用について説明する。
【０１２２】
この実施例４では、前記取り外し蓋体６０によって、前記複数形成された室内側給気孔１４ｐ，１４ｑ…のうち、前記空気送風機本体２１が装着されていない室内側給気孔１４ｐ等が閉塞される。
【０１２３】
このため、清浄空気が、空気送風機本体２１が装着されている室内側給気孔１４ｑ等に集中して、更に、前記出口部材２３から供給される清浄空気の送風量を増大させることができる。  
【０１２４】
他の構成、及び作用効果については、前記実施例１，２及び３と略同一であるので、説明を省略する。
【実施例５】
【０１２５】
図１５は、この発明の実施の形態の実施例５の清浄空気送風装置を示し、前記実施例３の変形例に相当するものである。
【０１２６】
なお、前記実施例１，２と同一乃至均等な部分については、同一符号を付して、構成上の相違点を中心に説明する。
【０１２７】
この実施例５の清浄空気送風装置では、前記実施例３及び４と同様に、建物の一室１０ｐに、複数設けられた室内側給気孔１４ｐ，１４ｑ…のうち、前記空気送風機本体２１が装着されていない室内側給気孔１４ｐ等を閉塞する閉塞手段としてのスライド蓋体７０が設けられている。
【０１２８】
このスライド蓋体７０は、前記床面Ｆに沿ったスライド移動により、前記室内側給気孔１４ｐの上面部を閉塞及び開放可能としている。
【０１２９】
次に、この実施例５の清浄空気送風装置の作用について説明する。
【０１３０】
この実施例５では、前記スライド蓋体７０によって、前記複数形成された室内側給気孔１４ｐ，１４ｑ…のうち、前記空気送風機本体２１が装着されていない室内側給気孔１４ｐ等が閉塞される。
【０１３１】
このため、清浄空気が、空気送風機本体２１が装着されている室内側給気孔１４ｑ等に集中して、更に、前記出口部材２３から供給される清浄空気の送風量を増大させることができる。  
【０１３２】
他の構成、及び作用効果については、前記実施例１，２及び３，４と略同一であるので、説明を省略する。
【０１３３】
以上、図面を参照して、本発明の実施の形態を詳述してきたが、具体的な構成は、この実施の形態に限らず、本発明の要旨を逸脱しない程度の設計的変更は、本発明に含まれる。
【０１３４】
即ち、前記実施例１では、住宅１０の二階１０ｂの寝室である二階各室１０ｉ〜１０ｋに前記清浄空気送風装置を適用したものを示して説明してきたが、特にこれに限らず、例えば、一階１０ａに寝室が存在する等、間取りプランによっては何階に清浄空気送風装置が適用されても良く、設置場所や清浄空気送風ユニット２０の形状、寸法及び材質が特に限定されるものではない。
【０１３５】
また、前記実施例２では、前記ビニルフード部材４０が、前記実施例１の出口部材２３に代えて、前記ダクト部材２２の先端部２２ａに装着されているが、特にこれに限らず、例えば、実施例１の出口部材２３に連設して設けてもよい。
【０１３６】
更に、前記実施例１乃至５では、前記筐体２１ａ内に、プロペラ状のファン部材２１ｃ，２１ｃを、電動モータによって回転駆動させることにより、上面部２１ｄに形成されたダクト用開口２１ｅに接続される前記ダクト部材２２内に、送風を行う送風ファン装置２１ｆが設けられているが、例えば、このファン部材２１ｃに代えて、シロッコファンを用いる等、空気送風機本体２１から送風される室内側給気孔からの清浄空気をダクト部材２内へ挿通させて、前記出口部材２３から供給するものであれば、送風機やファンの形状、数量、及び材質が特に限定されるものではなく、所望の風量が確保されれば、ファン装置２１ｆを用いなくてもよい。  
【図面の簡単な説明】
【０１３７】
【図１】この発明の最良の実施の形態の実施例１の清浄空気送風装置で、清浄空気送風ユニットの着脱の様子を説明する部屋隅の斜視図である。
【図２】実施例１の清浄空気送風装置で、図１中Ａ−Ａ線に沿った位置での空気送風機本体の模式的な断面図である。
【図３】実施例１の清浄空気送風装置で、建物全体の構成を説明する模式的な分解斜視図である。
【図４】実施例１の清浄空気送風装置で、比較例を示し、建物の一室の模式的な透過斜視図である。
【図５】実施例１の清浄空気送風装置で、建物の一室の模式的な透過斜視図である。
【図６】実施例１の清浄空気送風装置で、枕元に出口部材を設置した様子を説明する斜視図である。
【図７】実施例１の清浄空気送風装置で、清浄空気送風ユニットの空気送風機本体が、着脱手段によって装着された様子を説明する斜視図である。
【図８】実施例１の清浄空気送風装置で、清浄空気送風ユニットの空気送風機本体及びダクトの構成を説明する斜視図である。
【図９】実施例１の清浄空気送風装置で、清浄空気送風ユニットの空気送風機本体の構成を説明する下面側の分解斜視図である。
【図１０】実施例２の清浄空気送風装置で、ビニールフードを用いて頭部に清浄空気を送風する様子を示す斜視図である。
【図１１】実施例２の清浄空気送風装置で、ビニールフードを用いて脚部に清浄空気を送風する様子を示す斜視図である。
【図１２】実施例３の清浄空気送風装置で、複数の室内側給気孔を有する室の一例を示す斜視図である。
【図１３】実施例３の清浄空気送風装置で、回動蓋体の構成を示す斜視図である。
【図１４】実施例４の清浄空気送風装置で、取り外し蓋体の構成を示す斜視図である。
【図１５】実施例５の清浄空気送風装置で、スライド蓋体の構成を示す斜視図である。
【図１６】従来例の風量調整装置の構成を説明する斜視図である。
【符号の説明】
【０１３８】
１０            住宅
１０ｉ〜１０ｋ  二階各室（室）
１４ａ〜１４ｃ  床面換気グリル（室内側給気孔）
１４ｇ          周縁部
２０，１２０    清浄空気送風ユニット
２１            空気送風機本体
２２            ダクト部材
２３            出口部材
２１ｆ          送風ファン装置（装置側送風機）
２４            脱臭フィルタ部材
２５            スポンジ状部材（シール材）
着脱手段        
２１ｂ，２１ｂ  係合鍔部
２７            フォーク部材
２７ａ，２７ａ  係合片
４０            ビニールフード部材
４０ａ          内部空間
閉塞手段
５０            回動蓋体
６０            取り外し蓋体
７０            スライド蓋体
【図１】
2007127295.tif 000003
【図２】
2007127295.tif 000004
【図３】
2007127295.tif 000005
【図４】
2007127295.tif 000006
【図５】
2007127295.tif 000007
【図６】
2007127295.tif 000008
【図７】
2007127295.tif 000009
【図８】
2007127295.tif 000010
【図９】
2007127295.tif 000011
【図１０】
2007127295.tif 000012
【図１１】
2007127295.tif 000013
【図１２】
2007127295.tif 000014
【図１３】
2007127295.tif 000015
【図１４】
2007127295.tif 000016
【図１５】
2007127295.tif 000017
【図１６】
2007127295.tif 000018